(57)【要約】【課題】  表示領域の小さな端末に遠隔操作用の操作画面を表示させる。【解決手段】  ＭＦＰ１は、機種特定情報を受信する機種特定情報受信部１５３と、受信された機種特定情報が携帯電話機を特定する場合、複数種類の処理をそれぞれ識別するための複数の処理識別情報とそれぞれ関連付けられた複数の図形情報を表示するための処理選択画面を生成する処理選択画面生成部１５５と、処理選択画面を、携帯電話機に送信する処理選択画面送信部１５７と、処理選択画面の送信に応じて受信される処理特定情報により識別される処理を実行するのに必要なパラメータを受け付けるためのパラメータ設定画面を送信するパラメータ設定画面面送信部１６３と、パラメータ設定画面の送信に応じて受信されるパラメータに従って、受信された処理特定情報により識別される処理を実行する処理実行制御部１７３と、を備える。【選択図】        図４
2007318519.tif 000002
【特許請求の範囲】
【請求項１】
装置の種類を特定する機種情報を受信する機種情報受信手段と、
複数種類の処理を実行可能な処理実行手段と、
前記受信された機種情報が携帯通信端末を特定する場合、前記複数種類の処理をそれぞれ識別するための複数の処理識別情報とそれぞれ関連付けられた複数の画像を表示するための処理選択画面を生成する処理選択画面生成手段と、
前記生成された処理選択画面を、前記機種情報を送信してきた装置に送信する送信手段と、
前記処理選択画面の送信に応じて前記機種情報を送信してきた装置から受信される処理識別情報により識別される処理を実行するのに必要なパラメータを受け付けるためのパラメータ設定画面を送信するパラメータ設定画面送信手段と、を備え、
前記処理実行手段は、前記パラメータ設定画面の送信に応じて受信されるパラメータに従って、前記受信された処理識別情報により識別される処理を実行する、画像形成装置。
【請求項２】
前記処理選択画面は、前記複数の画像のうちいずれかの指定を受け付け、前記複数種類の処理のいずれかを識別するための処理識別情報を送信する指令を含む、請求項１に記載の画像形成装置。
【請求項３】
前記複数種類の処理をそれぞれ識別するための複数の処理識別情報それぞれと、複数種類の画像とを関連付けた関連付データを記憶する関連付データ記憶手段と、
前記処理選択画面を送信した前記装置から前記機種情報と、前記処理選択画面を変更する指示とが受信されることに応じて、前記受信された機種情報に関連付けられた複数種類の画像を送信する画像送信手段と、
前記送信した複数種類の画像のうちから選択された画像が受信された場合、前記処理選択画面を変更し、前記装置を識別するための装置識別情報に関連付けて記憶する処理選択画面記憶手段と、
前記装置識別情報を受信する識別情報受信手段と、をさらに備え、
前記処理選択画面送信手段は、前記装置識別情報が受信されることに応じて、前記装置識別情報に関連する処理選択画面を送信する装置別処理選択画面送信手段を含む、請求項１に記載の画像形成装置。
【請求項４】
前記携帯通信端末を供給するメーカサイトのコンピュータから前記複数の画像をダウンロードするダウンロード手段をさらに備え、
前記関連付データ記憶手段は、前記携帯通信端末別に前記関連付データを記憶し、
前記処理選択画面生成手段は、前記受信された機種情報に含まれるメーカを識別する情報に従って、前記記憶手段に記憶された前記関連付データを読み出す読出手段を含む、請求項２に記載の画像形成装置。
【請求項５】
少なくとも１つの画像形成装置と、前記少なくとも１つの画像形成装置を管理するプリントサーバと、携帯通信端末とを備えたプリントシステムであって、
前記プリントサーバは、
前記少なくとも１つの画像形成装置が実行可能な複数種類の処理をそれぞれ識別するための複数の処理識別情報を記憶する装置情報記憶手段と、
装置の種類を特定する機種情報を受信する機種情報受信手段と、
前記少なくとも１つの画像形成装置を識別するための画像形成装置識別情報を受信する画像形成装置識別情報受信手段と、
前記受信された機種情報が携帯通信端末を特定する場合、前記画像形成装置識別情報に対応する前記複数種類の処理をそれぞれ識別するための複数の処理識別情報とそれぞれ関連付けられた複数の画像を表示するための処理選択画面を生成する処理選択画面生成手段と、
前記生成された処理選択画面を、前記機種情報を送信してきた装置に送信する送信手段と、
前記処理選択画面の送信に応じて前記機種情報を送信してきた装置から受信される処理識別情報により識別される処理を実行するのに必要なパラメータを受け付けるためのパラメータ設定画面を送信するパラメータ設定画面送信手段と、
前記パラメータ設定画面の送信に応じて受信されるパラメータに従って、前記受信された処理識別情報により識別される処理を、前記画像形成装置識別情報により識別される前記少なくとも１つの画像形成装置に実行させる制御手段と、を備えたプリントシステム。
【発明の詳細な説明】
【技術分野】
【０００１】
この発明は、画像形成装置およびプリントシステムに関し、特に遠隔制御可能な画像形成装置およびその画像形成装置を含むプリントシステムに関する。
【背景技術】
【０００２】
画像形成装置は、ローカルエリアネットワーク（ＬＡＮ）等のネットワークに接続されることが多く、ネットワークに接続されたコンピュータから制御される。この場合、コンピュータに画像形成装置を制御するためのドライバプログラムがインストールされ、コンピュータでそのドライバプログラムが実行されることにより画像形成装置が制御される。これとは別に、ウェブ（Ｗｅｂ）サーバ機能を備えた画像形成装置が知られている（例えば、特許文献１）。この場合、パーソナルコンピュータにＷｅｂブラウザプログラムを実行させることにより、画像形成装置から離れたパーソナルコンピュータで、画像形成装置の操作パネルと同じ情報をリアルタイムに確認することができる。
【０００３】
しかしながら、画像形成装置をパーソナルコンピュータでなく、携帯電話機等の携帯情報端末で画像形成装置を遠隔操作する場合、携帯情報端末のディスプレイが小さいために、画像形成装置の操作パネルに表示するのと同じ情報を表示することができない。また、表示したとしても、文字が小さくなって見づらくなってしまうといった問題がある。
【特許文献１】特開２００４−５６３４５号公報
【発明の開示】
【発明が解決しようとする課題】
【０００４】
この発明は上述した問題点を解決するためになされたもので、この発明の目的の１つは、表示領域の小さな端末に遠隔操作用の操作画面を表示させることが可能な画像形成装置およびプリントシステムを提供することである。
【課題を解決するための手段】
【０００５】
上述した問題点を解決するために、この発明のある局面に従えば、画像形成装置は、装置の種類を特定する機種情報を受信する機種情報受信手段と、複数種類の処理を実行可能な処理実行手段と、受信された機種情報が携帯通信端末を特定する場合、複数種類の処理をそれぞれ識別するための複数の処理識別情報とそれぞれ関連付けられた複数の画像を表示するための処理選択画面を生成する処理選択画面生成手段と、生成された処理選択画面を、機種情報を送信してきた装置に送信する送信手段と、処理選択画面の送信に応じて機種情報を送信してきた装置から受信される処理識別情報により識別される処理を実行するのに必要なパラメータを受け付けるためのパラメータ設定画面を送信するパラメータ設定画面送信手段と、を備え、処理実行手段は、パラメータ設定画面の送信に応じて受信されるパラメータに従って、受信された処理識別情報により識別される処理を実行する。
【０００６】
この局面によれば、装置の種類を特定する機種情報が受信され、受信された機種情報が携帯通信端末を特定する場合、複数種類の処理をそれぞれ識別するための複数の処理識別情報とそれぞれ関連付けられた複数の図形情報を表示するための処理選択画面が生成され、処理選択画面が機種情報を送信してきた装置に送信される。これにより、携帯通信端末に処理選択画面が表示される。処理選択画面は、複数の処理識別情報とそれぞれ関連付けられた複数の図形情報を表示するための画面なので、表示領域の小さい携帯情報端末であっても、複数の処理を選択するための画面を一度に表示することができる。さらに、処理選択画面の送信に応じて受信される処理識別情報により識別される処理を実行するのに必要なパラメータを受け付けるためのパラメータ設定画面が送信され、受信されるパラメータに従って、処理識別情報により識別される処理が実行される。このため、表示領域の小さな端末に遠隔操作用の操作画面を表示させることが可能な画像形成装置を提供することができる。
【０００７】
好ましくは、処理選択画面は、複数の画像のうちいずれかの指定を受け付け、複数種類の処理のいずれかを識別するための処理識別情報を送信する指令を含む。
【０００８】
好ましくは、複数種類の処理をそれぞれ識別するための複数の処理識別情報それぞれと、複数種類の画像とを関連付けた関連付データを記憶する関連付データ記憶手段と、処理選択画面を送信した装置から機種情報と、処理選択画面を変更する指示とが受信されることに応じて、受信された機種情報に関連付けられた複数種類の画像を送信する画像送信手段と、送信した複数種類の画像のうちから選択された画像が受信された場合、処理選択画面を変更し、装置を識別するための装置識別情報に関連付けて記憶する処理選択画面記憶手段と、装置識別情報を受信する識別情報受信手段と、をさらに備え、処理選択画面送信手段は、装置識別情報が受信されることに応じて、装置識別情報に関連する処理選択画面を送信する装置別処理選択画面送信手段を含む。
【０００９】
好ましくは、携帯通信端末を供給するメーカサイトのコンピュータから複数の画像をダウンロードするダウンロード手段をさらに備え、関連付データ記憶手段は、携帯通信端末別に関連付データを記憶し、処理選択画面生成手段は、受信された機種情報に含まれるメーカを識別する情報に従って、記憶手段に記憶された関連付データを読み出す読出手段を含む。
【００１０】
この発明の他の局面によれば、プリントシステムは、少なくとも１つの画像形成装置と、少なくとも１つの画像形成装置を管理するプリントサーバと、携帯通信端末とを備えたプリントシステムであって、プリントサーバは、少なくとも１つの画像形成装置が実行可能な複数種類の処理をそれぞれ識別するための複数の処理識別情報を記憶する装置情報記憶手段と、装置の種類を特定する機種情報を受信する機種情報受信手段と、少なくとも１つの画像形成装置を識別するための画像形成装置識別情報を受信する画像形成装置識別情報受信手段と、受信された機種情報が携帯通信端末を特定する場合、画像形成装置識別情報に対応する複数種類の処理をそれぞれ識別するための複数の処理識別情報とそれぞれ関連付けられた複数の画像を表示するための処理選択画面を生成する処理選択画面生成手段と、生成された処理選択画面を、機種情報を送信してきた装置に送信する送信手段と、処理選択画面の送信に応じて機種情報を送信してきた装置から受信される処理識別情報により識別される処理を実行するのに必要なパラメータを受け付けるためのパラメータ設定画面を送信するパラメータ設定画面送信手段と、パラメータ設定画面の送信に応じて受信されるパラメータに従って、受信された処理識別情報により識別される処理を、画像形成装置識別情報により識別される少なくとも１つの画像形成装置に実行させる制御手段と、を備える。
【００１１】
この局面によれば、表示領域の小さな端末に遠隔操作用の操作画面を表示させることが可能なプリントシステムを提供することができる。
【発明を実施するための最良の形態】
【００１２】
以下、本発明の実施の形態について図面を参照して説明する。以下の説明では同一の部品には同一の符号を付してある。それらの名称および機能も同じである。したがってそれらについての詳細な説明は繰返さない。
【００１３】
＜第１の実施の形態＞
図１は、本発明の実施の形態の１つにおけるプリントシステムの全体概要を示す図である。図１を参照して、プリントシステムは、２台のＭＦＰ１，１Ａと、パーソナルコンピュータ（以下「ＰＣ」という）２と、無線局１１とが、ローカルエリアネットワーク（ＬＡＮ）１０に接続されている。さらに、ＬＡＮ１１は、インターネット１２に接続されている。ＭＦＰ１，２各々は、複写機能、スキャナ機能、ファクシミリ送受信機能、プリント機能を備える。ＬＡＮ１１は、有線および無線のいずれであってもよい。無線局１１は、ＬＡＮ１０の中継装置であり、無線ＬＡＮ通信機能を備えた携帯電話機３と通信して、携帯電話機３をＬＡＮ１０に接続する。ＭＦＰ１，１Ａ各々は、ＬＡＮ１１を介してＰＣ２とデータの送受信が可能である。また、ＭＦＰ１，１Ａ各々は、ＬＡＮ１１および無線局１１を介して携帯電話機３とデータの送受信が可能である。
【００１４】
メーカサーバ５は、携帯電話機３を供給する事業者が所有または管理するコンピュータである。ＭＦＰ１，２各々は、ＬＡＮ１０およびインターネット１２を介して、インターネット１２に接続されたメーカサーバ５から携帯電話機３に関連するデータをダウンロードすることが可能である。携帯電話機３に関連するデータは、携帯電話機３が表示可能な図形情報を含む。
【００１５】
また、ＭＦＰ１，１Ａ各々は、ウェブ（Ｗｅｂ）サーバとして機能する。このため、携帯電話機３の基地局１３がインターネット１２に接続されている場合には、携帯電話機３にＷｅｂブラウジングプログラムを実行させることにより、携帯電話機３はインターネット１２を介してＭＦＰ１，１Ａと、ＨＴＴＰ（ＨｙｐｅｒＴｅｘｔ  Ｔｒａｎｓｆｅｒ
Ｐｒｏｔｏｃｏｌ）で通信することが可能である。ＭＦＰ１，２各々は、さらに、公衆交換電話網（ＰＳＴＮ）に接続されている。このため、携帯電話機３は、その基地局１３が接続されるＰＳＴＮを介して、ＭＦＰ１，１Ａと通信することが可能である。なお、ＭＦＰ１，１ＡをＰＳＴＮに接続する例を示すが、ＰＳＴＮに限らず、たとえばＩＳＤＮ（Ｉｎｔｅｇｒａｔｅｄ  Ｓｅｒｖｉｃｅｓ  Ｄｉｇｉｔａｌ  Ｎｅｔｗｏｒｋ）等のデジタル通信網であってもよい。
【００１６】
なお、図１は、ＬＡＮ１０に、２台のＭＦＰ１，１Ａを接続する例を示すが、台数を限定するものではない。また、携帯電話機３およびメーカサーバ５の台数は、１台に限らず、複数台あってもよい。
【００１７】
本実施の形態におけるＭＦＰ１，１Ａ各々は、携帯電話機３との間で通信して、携帯電話機３からＭＦＰ１，１Ａを遠隔操作するのを可能にする。なお、ＭＦＰ１，１Ａは、機能は同じなので、ここでは特に言及しない限りＭＦＰ１について説明する。
【００１８】
図２は、ＭＦＰのハード構成の一例を示すブロック図である。図２を参照して、ＭＦＰ１は、情報処理部１０１と、ファクシミリ部２７と、通信制御部２８と、ＡＤＦ２１と、画像読取部２２と、画像形成部２３と、給紙部２４とを含む。情報処理部１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、データを記憶するためのハードディスクドライブ（ＨＤＤ）１１３と、表示部１１４と、操作部１１５と、データ通信制御部１１６と、データ入出力部１１７とを含む。ＣＰＵ１１１は、表示部１１４、操作部１１５、データ通信制御部１１６およびデータ入出力部１１７とそれぞれ接続され、情報処理部１０１の全体を制御する。また、ＣＰＵ１１１は、ＡＤＦ２１、画像読取部２２、画像形成部２３、給紙部２４、ファクシミリ部２７、通信制御部２８と接続され、ＭＦＰ１の全体を制御する。
【００１９】
表示部１１４は、液晶表示装置（ＬＣＤ）、有機ＥＬＤ（Ｅｌｅｃｔｒｏ  Ｌｕｍｉｎｅｓｃｅｎｃｅ Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルを含む。表示部１１４と操作部１１５とで、操作パネルを構成する。
【００２０】
データ通信制御部１１６は、データ入出力部１１７と接続される。データ通信制御部１１６は、ＣＰＵ１１１からの指示に従って、データ入出力部１１７を制御して、データ入出力部１１７に接続された外部の機器との間でデータを送受信する。データ入出力部１１７は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで通信するためのインターフェースであるＬＡＮ端子１１８、ＵＳＢ（Ｕｎｉｖｅｒｓａｌ  Ｓｅｒｉａｌ  Ｂｕｓ）端子１１９を有する。
【００２１】
ＬＡＮ端子１１８に、ＬＡＮ１１に接続するためのＬＡＮケーブルが接続される場合、データ通信制御部１１６は、データ入出力部１１７を制御してＬＡＮ端子１１８を介して接続されたＭＦＰ１Ａ,ＰＣ２、携帯電話機３と通信し、さらに、インターネット１２に接続されるメーカサーバ５と通信する。ＵＳＢ端子１１９に機器が接続された場合、データ通信制御部１１６は、データ入出力部１１７を制御して、接続された機器との間で通信してデータを入出力する。ＵＳＢ端子１１９には、フラッシュメモリを内蔵したＵＳＢメモリ１１９Ａが接続可能である。ＵＳＢメモリ１１９Ａには、後述する遠隔操作プログラムが記憶されており、ＣＰＵ１１１は、データ通信制御部１１６を制御して、ＵＳＢメモリ１１９Ａから遠隔操作プログラムを読出し、読み出した遠隔操作プログラムをＲＡＭ１１２に記憶し、実行する。
【００２２】
なお、遠隔操作プログラムを記憶する記録媒体としては、ＵＳＢメモリ１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の固定的にプログラムを担持する媒体でもよい。さらに、ＣＰＵ１１１がインターネット１２に接続されたコンピュータから遠隔操作プログラムをダウンロードしてＨＤＤ１１３に記憶する、または、インターネット１２に接続されたコンピュータが遠隔操作プログラムをＨＤＤ１１３に書込みするようにして、ＨＤＤ１１３に記憶された遠隔操作プログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００２３】
ファクシミリ部２７は、ＰＳＴＮ１２に接続され、ＰＳＴＮ１２にファクシミリデータを送信する、またはＰＳＴＮ１２からファクシミリデータを受信する。ファクシミリ部２７は、受信したファクシミリデータを、画像形成部２３でプリント可能なプリントデータに変換して、画像形成部２３に出力する。これにより、画像形成部２３は、ファクシミリ部２７により受信されたファクシミリデータを記録シートにプリントする。また、ファクシミリ部２７は、ＨＤＤ１１３に記憶されたデータをファクシミリデータに変換して、ＰＳＴＮ１２に接続されたＦＡＸまたはＭＦＰ１Ａに出力する。これにより、ＨＤＤ１１３に記憶されたデータをＦＡＸまたはＭＦＰ１Ａで出力することができる。
【００２４】
通信制御部２８は、ＭＦＰ１をＰＳＴＮ１２に接続するためのモデムである。通信制御部２８は、ＰＳＴＮ１２に接続された基地局１３に無線接続された携帯電話機３と回線を接続して、通信することが可能である。ＭＦＰ１には、ＰＳＴＮ１２において電話番号が予め割り当てられており、携帯電話機３からＭＦＰ１に割り当てられた電話番号に発呼があると、通信制御部２８がその発呼を検出する。通信制御部２８は、発呼を検出すると回線を接続し、発呼を送信してきた機器がＦＡＸ７またはＭＦＰ２の場合には、ファクシミリ部２７に通信させるが、発呼を送信してきた機器が携帯電話機３の場合には、携帯電話機３との間で回線を接続する。通信制御部２８は、携帯電話機３との間の回線を接続した場合、携帯電話機３から送信されるデータをＣＰＵ１１１に出力し、ＣＰＵ１１１から入力されるデータを携帯電話機３に送信する。
【００２５】
図３は、ＰＣのディスプレイに表示される遠隔操作画面の一例を示す図である。ＭＦＰ１は、Ｗｅｂサーバとして機能し、ＰＣから遠隔操作画面の要求を受信すると、操作パネルに表示するのと同様の画面を遠隔操作画面として送信する。ＰＣのディスプレイは、通常、操作パネルの表示部１１４よりも表示面積が大きいため、操作パネルに表示するのと同じ画面をＰＣ２で表示しても見づらくならないからである。
【００２６】
図４は、第１の実施の形態におけるＭＦＰのＣＰＵの機能の概要をＨＤＤで記憶する情報とともに示す機能ブロック図である。図４を参照して、ＨＤＤ１１３は、関連付データ記憶部１８１と、パラメータ設定画面記憶部１８３とを含む。ＣＰＵ１１１は、図形情報を取得するための図形情報取得部１５１と、機種情報を受信するための機種情報受信部１５３と、処理選択画面を生成する処理選択画面生成部１５５と、処理選択画面を送信する処理選択画面送信部１５７と、処理識別情報を受信する処理識別情報受信部１６１と、パラメータを設定するためのパラメータ設定画面を送信するパラメータ設定画面送信部１６３と、パラメータを受信するパラメータ受信部１７１と、処理識別情報で特定される処理をパラメータに従って実行させる処理実行制御部１７３とを含む。
【００２７】
図形情報取得部１５１は、メーカサーバ５にアクセスし、携帯電話機３に表示可能な図形情報をダウンロードする。そして、ダウンロードした図形情報から関連付データを生成し、関連付データ記憶部１８１に記憶する。図形情報は、例えば、絵や記号で表現された画像であり、アイコンとして使用される。図形情報は、画像そのものに代えて、画像に対応するコード、またはファイル名であっても良い。ここで関連付データについて説明する。ＭＦＰ１は、両面印刷または片面印刷、カラー印刷またはモノクロ印刷などの印刷処理、ソート処理、パンチ穴加工処理およびステープル針加工処理など、複数種類の処理を実行可能である。関連付データは、ＭＦＰ１が実行可能な複数種類の処理それぞれと図形情報とを関連付ける。
【００２８】
図５は、関連付データのフォーマットの一例を示す第１の図である。図５を参照して、関連付データは、処理識別情報と、メーカＡ用図形情報、メーカＢ用図形情報およびメーカＣ用図形情報の項目を含む。処理識別情報は、ＭＦＰ１が実行可能な複数種類の処理各々を識別するための情報である。関連付データは、複数の処理識別情報ごとに、携帯電話機３のメーカのメーカサーバ５からダウンロードした図形情報を関連付ける。ここでは、３社のメーカサーバ５からダウンロードした図形情報を示しているが、これより多くてもよく、少なくても良い。図形情報取得部１５１が新たなメーカサーバ５から図形情報をダウンロードするごとに、図形情報が関連付データに追加される。
【００２９】
機種情報受信部１５３は、遠隔操作を要求する装置の機種情報を受信する。機種情報受信部１５３は、遠隔操作の要求を受信すると、機種情報を入力するための画面を返信し、その画面に従って入力された機種情報を受信する。ＰＣ２から受信する機種情報は、パーソナルコンピュータであることを示す情報を含む。携帯電話機３から受信する機種情報は、携帯電話機であることを示す情報と、携帯電話機３のメーカを示す情報とを含む。機種情報受信部１５３は、機種情報を受信すると、機種情報を処理選択画面生成部１５５に出力する。
【００３０】
処理選択画面生成部１５５は、機種情報が入力されると、機種情報に対応する処理選択画面を決定する。処理選択画面は、ＭＦＰ１が実行可能な複数種類の処理のうちから１つを選択するための画面である。機種情報がパーソナルコンピュータであることを示す情報を含む場合は、操作パネルに表示するのと同じ画面に処理選択画面を決定する。処理選択画面生成部１５５は、ＨＤＤ１１３に予め記憶された操作パネルに表示する画面を読み出して、読み出した画面を処理選択画面として処理選択画面送信部１５７に出力する。処理選択画面生成部１５５は、機種情報が携帯電話機であることを示す情報を含む場合は、携帯電話機３のメーカを示す情報に対応する処理選択画面を生成する。処理選択画面生成部１５５は、関連付データに基づいて、アイコンを含む処理選択画面を生成する。具体的には、関連付データから、処理識別情報ごとに携帯電話機３のメーカに対応する図形情報を抽出し、すべての処理識別情報について抽出した複数の図形情報を所定順に配置した処理選択画面を生成する。さらに、配置した複数の図形情報各々は、処理識別情報と関連付けられているため、この関連付けを処理選択画面に反映するために、複数の図形情報各々に、処理識別情報を送信する指令を関連付ける。この指令は、処理選択画面が表示された際に、図形情報が指示されることに応じて携帯電話機３により実行される。処理選択画面生成部１５５は、生成した処理選択画面を処理選択画面送信部１５７に送信する。
【００３１】
処理選択画面送信部１５７は、入力される処理選択画面を、機種情報を送信してきた装置に送信する。ＰＣ２が機種情報を送信してきたならば、ＰＣ２に処理選択画面を送信する。これにより、ＰＣ２のディスプレイに処理選択画面が表示される。携帯電話機３が機種情報を送信してきたならば、携帯電話機３に処理選択画面を送信する。これにより携帯電話機３のディスプレイに処理選択画面が表示される。以下、処理選択画面を携帯電話機３に送信する場合を例に説明する。
【００３２】
図６は、処理選択画面の一例を示す図である。図６を参照して、処理選択画面は、４つの選択ボタン２０４と、４つの図形情報２０１と、ＭＦＰ１の状態を表示する領域２０２と、スタートボタン２０３とを含む。選択ボタン２０４、図形情報２０１、スタートボタン２０３は、アイコンである。スタートボタン２０３には、処理を実行する指示を送信する指令が関連付けられている。図６に示す処理選択画面が最初に表示される段階では、ＭＦＰ１に実行させる処理はデフォルトで定められた設定となっている。スタートボタン２０３を指示すれば、デフォルトで定められた設定で処理を実行する実行指示がＭＦＰ１に送信される。
【００３３】
４つの選択ボタン２０４は、基本の文字が表された選択ボタンと、集約の文字が表された選択ボタンと、画質の文字が表された選択ボタンと、応用の文字が表された選択ボタンとを含む。基本の文字が表された選択ボタンは、コピー枚数などの基本設定を設定するためのパラメータ設定画面の表示に切り換えるための指令が関連付けられている。集約の文字が表された選択ボタンは、複数の原稿を１枚の用紙に画像形成するための設定をするためのパラメータ設定画面の表示に切り換えるための指令が関連付けられている。画質の文字が表された選択ボタンは、画質を設定するためのパラメータ設定画面の表示に切り換えるための指令が関連付けられている。応用の文字が表された選択ボタンは、複数の機能のいずれかを選択するための機能選択画面の表示に切り換えるための指令が関連付けられている。
【００３４】
４つの図形情報２０１は、ＭＦＰ１が有する４種類の処理を選択するためのアイコンである。４つの図形情報２０１は、画像を形成する処理を選択するための図形情報と、画像を拡大する処理を選択するための図形情報と、画像を分割する処理を選択するための図形情報と、ステープル針加工処理を選択するための図形情報とを含む。画像を形成する処理を選択するための図形情報には、画像を形成する処理を識別するための処理識別情報を送信する指令が関連付けられている。画像を拡大する処理を選択するための図形情報には、画像を拡大する処理を識別するための処理識別情報を送信する指令が関連付けられている。画像を分割する処理を選択するための図形情報には、画像を分割する処理を識別するための処理識別情報を送信する指令が関連付けられている。ステープル針加工処理を選択するための図形情報には、ステープル針加工処理を識別するための処理識別情報を送信する指令が関連付けられている。
【００３５】
図４に戻って、処理識別情報受信部１６１は、処理選択画面送信部１５７が処理選択画面を送信した装置から処理識別情報を受信する。処理識別情報受信部１６１は、処理選択画面を送信した携帯電話機３を識別するための装置識別情報を、処理識別情報とともに受信する。装置識別情報は、携帯電話機３そのものを識別可能である必要はなく、処理選択画面を送信した携帯電話機３であることを識別可能であればよい。ＭＦＰ１は、Ｗｅｂサーバとして機能するため、装置識別情報は、例えば、クッキー（Ｃｏｏｋｉｅ）を用いることができる。処理識別情報受信部１６１は、受信した処理識別情報をパラメータ設定画面送信部１６３および処理実行制御部１７３に出力する。
【００３６】
パラメータ設定画面送信部１６３は、入力される処理識別情報に対応するパラメータ設定画面を、パラメータ設定画面記憶部１８３から読み出して、読み出したパラメータ設定画面を処理識別情報を送信してきた携帯電話機３に送信する。これにより、携帯電話機３にパラメータ設定画面が表示される。パラメータ設定画面記憶部１８３は、処理識別情報と関連付けられたパラメータ設定画面を記憶する。パラメータ設定画面は、処理選択画面において選択された処理に対応するパラメータを設定するための画面である。パラメータ設定画面送信部１６３は、例えば、処理選択画面において画像を形成する処理を選択するための図形情報が指示された場合には、画像を形成するための用紙のサイズを設定するためのパラメータ設定画面を送信し、画像を拡大する処理を選択するための図形情報が指示された場合には、拡大率を設定するためのパラメータ設定画面を送信し、画像を分割する処理を選択するための図形情報が指定された場合には、分割数を設定するためのパラメータ設定画面を送信し、ステープル針加工処理を選択するための図形情報が指定された場合には、ステープル針を打ち込む位置および数を設定するためのパラメータ設定画面を送信する。
【００３７】
パラメータ受付部１７１は、パラメータ設定画面を送信した携帯電話機３からパラメータを受信し、受信したパラメータを処理実行制御部１７３に出力する。パラメータ受付部１７１は、パラメータ設定画面を送信した携帯電話機３を識別するための装置識別情報を、処理識別情報とともに受信する。処理実行制御部１７３は、処理識別情報とパラメータとが入力されると、ＡＤＦ２１、画像読取部２２、画像形成部２３および給紙部２４を制御して、処理識別情報で識別される処理をパラメータに従って実行する。
【００３８】
図７は、第１の実施の形態における遠隔操作処理の流れの一例を示すフローチャートである。遠隔操作処理は、ＭＦＰ１のＣＰＵ１１１が遠隔操作プログラムを実行することにより、ＣＰＵ１１１により実行される処理である。図７を参照して、ＣＰＵ１１１は、遠隔操作指示を受信したか否かを判断する（ステップＳ０１）。ＣＰＵ１１１は、遠隔操作指示を受信するまで待機状態となり（ステップＳ０１でＮＯ）、遠隔操作指示を受信したならば処理をステップＳ０２に進める。ＭＦＰ１がＷｅｂサーバとして機能するので、ＭＦＰ１がＨＤＤ１１３に予め記憶するホームページのＵＲＬへのアクセスを検出することにより、遠隔操作指示の受信を検出するようにすればよい。ＭＦＰ１が記憶するホームページは、機種情報を入力するための画面を含む。ＰＣ２または携帯電話３において、ホームページが表示され、ＰＣ２または携帯電話３は、機種情報を入力するための画面に機種情報が入力されると、入力された機種情報をＭＦＰ１に送信する。これにより、ＭＦＰ１は、機種情報を受信する。ＰＣ２から受信する機種情報は、パーソナルコンピュータであることを示す情報を含む。携帯電話機３から受信する機種情報は、携帯電話機であることを示す情報と、携帯電話機３のメーカを示す情報とを含む。
【００３９】
ステップＳ０２においては、受信した機種情報から遠隔操作指示を送信してきた装置が携帯電話機か否かを判断する。携帯電話機であれば処理をステップＳ０３に進め、携帯電話機でなければ処理をステップＳ１０に進める。
【００４０】
ステップＳ１０においては、ＭＦＰ１が操作パネルに表示するのと同様の遠隔操作画面を送信するＰＣ用遠隔操作処理を実行する。ＰＣ用遠隔操作処理は周知なのでここでは詳細に説明しないが、ＭＦＰ１に実行させる処理とパラメータとを設定する処理である。次に、実行指示を受信するまで待機状態となり（ステップＳ１１でＮＯ）、実行指示を受信したならば処理をステップＳ０９に進める。ステップＳ０９においては、ＰＣ用遠隔操作処理で設定された処理を、パラメータに従って実行する。
【００４１】
ステップＳ０３においては、処理選択画面生成処理を実行する。処理選択画面生成処理については、後述する。そして、生成した処理選択画面を、遠隔操作指示を送信してきた装置に送信する。ここでは、遠隔操作指示を送信してきた装置を携帯電話機３として説明する。
【００４２】
ステップＳ０５においては、処理選択画面を送信した携帯電話機３から処理識別情報を受信したか否かを判断する。処理識別情報を受信したならば処理をステップＳ０６に進め、受信しなければ処理をステップＳ０８に進める。ステップＳ０６においては、受信した処理識別情報に関連付けられたパラメータ設定画面を、パラメータ設定画面記憶部１８３から読出し、パラメータ設定画面を、処理識別情報を送信してきた携帯電話機３に送信する。
【００４３】
そして、パラメータ設定画面を送信した携帯電話機３からパラメータを受信するまで待機状態となり（ステップＳ０７でＮＯ）、パラメータを受信したならば処理をステップＳ０８に進める。パラメータを受信した場合、受信したパラメータを、ステップＳ０５で受信した処理識別情報と関連付けてＲＡＭ１１２に一時記憶する。そして、ステップＳ０８においては、実行指示を受信したか否かを判断する。実行指示を受信したならば処理をステップＳ０９に進め、実行指示を受信しなければ処理をステップＳ０４に戻す。処理をステップＳ０４に戻すことにより、再度、処理選択画面が携帯電話機３に送信され、他の処理の選択と、その選択した処理に対応するパラメータとの設定が可能となる。
【００４４】
そして、ステップＳ０９においては、ステップＳ０５で受信した処理識別情報で識別される処理を、ステップＳ０７で受信したパラメータに従って実行する。
【００４５】
図８は、処理選択画面生成処理の流れの一例を示すフローチャートである。処理選択画面生成処理は、図７のステップＳ０３で実行される処理である。図８を参照して、ＣＰＵ１１１は、機種情報からメーカを判別する（ステップＳ２１）。そして、１つの処理識別情報を選択し、その処理識別情報を含む関連付データを抽出し、携帯電話機３のメーカに対応する図形情報を抽出する（ステップＳ２２）。そして、抽出した図形情報を配置する（ステップＳ２３）。さらに、配置した図形情報に、ステップＳ０１において選択した処理識別情報を送信する指令を関連付ける（ステップＳ２４）。次に、未だ選択していない処理識別情報が存在するか否かを判断し（ステップＳ２５）、そのような処理識別情報が存在すれば処理をステップＳ２２に戻し、存在しなければ処理を終了する。
【００４６】
図９は、図形情報取得処理の流れの一例を示すフローチャートである。図形情報取得処理は、ＭＦＰ１のＣＰＵ１１１により実行される処理である。図９を参照して、ＣＰＵ１１１は、メーカサーバ５から図形情報をダウンロードする（ステップＳ３１）。メーカサーバ５が携帯電話機３のメーカが所有または管理するコンピュータであれば、携帯電話機３が表示可能な図形情報がダウンロードされる。そして、ダウンロードした図形情報を、関連付データ記憶部１８１に記憶されている関連付データに追加することにより、関連付データを更新し（ステップＳ３２）、処理を終了する。
【００４７】
以上説明したように、第１の実施の形態におけるＭＦＰ１は、携帯電話機３から携帯電話機であることを示す機種情報を受信すると、複数種類の処理をそれぞれ識別するための複数の処理識別情報とそれぞれ関連付けられた複数の図形情報を表示するための処理選択画面を生成する。複数種類の処理を選択するための複数の図形情報が表示されるので、表示領域の小さな携帯電話機に複数種類の処理を選択可能な処理選択画面を表示させることができる。また、メーカ別に予め準備された複数種類の図形情報のうちから携帯電話機３のメーカ用の図形情報が選択されて処理選択画面が生成されるので、携帯電話機３で表示可能な処理選択画面を生成することができる。
【００４８】
さらに、処理選択画面の送信に応じて処理識別情報を受信すると、処理識別情報に対応するパラメータ設定画面を送信し、パラメータを受信する。このため、ＭＦＰ１を携帯電話機３から遠隔操作することができる。
【００４９】
＜第２の実施の形態＞
次に第２の実施の形態におけるプリントシステムについて説明する。第２の実施の携帯におけるプリントシステムにおいては、携帯電話機３に遠隔操作指示が入力された場合に最初に表示される処理選択画面を、装置ごとにカスタマイズするようにしたものである。以下、第１の実施の形態におけるプリントシステムと異なる点を主に説明する。
【００５０】
図１０は、第２の実施の形態におけるＭＦＰのＣＰＵの機能の概要をＨＤＤで記憶する情報とともに示す機能ブロック図である。図１０を参照して、図４と異なる点は、ＨＤＤ１１３が、関連付データ記憶部１８１と、パラメータ設定画面記憶部１８３とに加えて、処理選択画面記憶部１８５を含む点と、ＣＰＵ１１１が、処理選択画面抽出部１５９と、変更受付部１７５と、変更部１７７とをさらに含む点である。
【００５１】
関連付データ記憶部１８１は、処理識別情報に、複数の図形情報を関連付けて記憶する。処理選択画面記憶部１８５は、装置識別情報と関連付けられた処理選択画面を記憶する。図１１は、関連付データのフォーマットの一例を示す第２の図である。図１１を参照して、関連付データは、処理識別情報ごとに複数の図形情報を関連付ける。複数の図形情報は、携帯電話機３のメーカに関係ない。図１２は、処理選択画面データのフォーマットの一例を示す図である。処理選択画面データは、装置識別情報と処理選択画面とを関連付ける。
【００５２】
図１０に戻って、機種情報受信部１５３は、機種情報とともに受信する装置識別情報を処理選択画面抽出部１５９に出力する。装置識別情報は、ＭＦＰ１が以前にアクセスしてきた装置に送信する情報であり、ここではクッキー（Ｃｏｏｋｉｅ）を用いている。機種情報受信部１５３は、以前にＭＦＰ１にアクセスしたことのない装置からは装置識別情報を受信しない。この場合には、機種情報受信部１５３は、装置識別情報を処理選択画面抽出に１５に出力することなく、受信した機種情報を処理選択画面生成部１５５に出力する。
【００５３】
処理選択画面抽出部１５９は、装置識別情報が入力されると、装置識別情報に関連付けられた処理選択画面を処理選択画面記憶部１８５から抽出する。処理選択画面抽出部１５９は、処理選択画面を抽出したならば、処理選択画面生成部１５５に処理選択画面を生成するのを中止させることを指示するための中止信号を出力し、処理選択画面送信部１５７に抽出した処理選択画面を出力する。
【００５４】
処理選択画面生成部１５５は、機種情報が入力されると、機種情報に対応する処理選択画面を生成するが、処理選択画面抽出部１５９から中止信号が入力されると、処理選択画面の生成を中止する。処理選択画面送信部１５７は、処理選択画面抽出部１５９から処理選択画面が入力される場合には、その処理選択画面を、機種情報を送信してきた装置に送信する。これにより、携帯電話機３の装置識別情報に対応する処理選択画面が携帯電話機３に送信されるので、携帯電話機３用にカスタマイズされた処理選択画面を表示させることができる。
【００５５】
変更受付部１７５は、処理選択画面を送信した携帯電話機３から変更指示を受け付ける。変更受付部１７５は、処理選択画面を送信した携帯電話機３を識別するための装置識別情報を、変更指示とともに受信する。変更指示は、処理選択画面に配置された複数の図形情報の位置を変更する指示と、複数の図形情報の一部を他の図形情報に変更する指示とを含む。変更受付部１７５は、受け付けた変更指示を変更部１７７に出力する。変更部１７７は、変更指示にしたがって、処理選択画面を変更し、変更後の処理選択画面で処理選択画面記憶部１８５に記憶されている処理選択画面データを更新する。
【００５６】
図１３は、第２の実施の形態における遠隔操作処理の流れの一例を示すフローチャートである。第２の実施の形態における遠隔操作処理は、ＭＦＰ１のＣＰＵ１１１が遠隔操作プログラムを実行することにより、ＣＰＵ１１１により実行される処理である。図１３を参照して、ＣＰＵ１１１は、遠隔操作指示を受信したか否かを判断する（ステップＳ４１）。遠隔操作指示を受信するまで待機状態となり（ステップＳ４１でＮＯ）、遠隔操作指示を受信したならば処理をステップＳ４２に進める。
【００５７】
ステップＳ４２においては、遠隔操作指示と共に受信される機種情報から遠隔操作指示を送信してきた装置が携帯電話機か否かを判断する。携帯電話機であれば処理をステップＳ４３に進め、携帯電話機でなければ処理をステップＳ５５に進める。ステップＳ５５およびステップＳ５６は、図７に示したステップＳ１０およびステップＳ１１と同じなのでここでは説明を繰り返さない。
【００５８】
ステップＳ４３においては、装置識別情報を取得する。遠隔操作指示と共に受信される装置識別情報を取得する。そして、装置識別情報に関連付けられた処理選択画面が処理選択画面記憶部１８５に記憶されているか否かを判断する（ステップＳ４４）。記憶されていれば処理をステップＳ４５に進め、記憶されていなければ処理をステップＳ４６に進める。ステップＳ４５においては、処理選択画面記憶部１８５から装置識別情報に関連付けられた処理選択画面を読み出し、処理をステップＳ４７に進める。ステップＳ４６においては、図８に示した処理選択画面生成処理を実行し、処理をステップＳ４７に進める。ただし、ステップＳ２２においては、デフォルトで定められた図形情報を抽出する点が異なる。第２の実施の形態における関連付データ記憶部１８１が記憶する関連付データは、メーカごとに図形情報を記憶していないからである。
【００５９】
ステップＳ４７においては、ステップＳ４５において読み出した処理選択画面、または、ステップＳ４６において生成した処理選択画面を、遠隔操作指示を送信してきた装置に送信する。ここでは、遠隔操作指示を送信してきた装置を携帯電話機３として説明する。
【００６０】
次のステップＳ４８においては、処理選択画面を送信した携帯電話機３から変更指示を受信したか否かを判断する。変更指示を受信したならば処理をステップＳ４９に進めるが、受信しなければステップＳ４９をスキップして処理をステップＳ５０に進める。ステップＳ４９においては、変更処理を実行する。変更処理については後述する。ステップＳ５０〜ステップＳ５６の処理は、図７に示したステップＳ０５〜ステップＳ１１の処理とそれぞれ同じなのでここでは説明を繰り返さない。
【００６１】
図１４は、変更処理の流れの一例を示すフローチャートである。変更処理は、図１３のステップＳ４９で実行される処理である。図１４を参照して、ＣＰＵ１１１は、受信した変更指示が図形情報変更指示か否かを判断する（ステップＳ６１）。図形情報変更指示ならば処理をステップＳ６２に進め、図形情報変更指示でなければ処理をステップＳ６６に進める。図形情報変更指示は、変更前の図形情報を含む。ステップＳ６２においては、関連付データによって、図形情報変更指示に含まれる変更前の図形情報が関連付けられた処理識別情報に関連付けられた他のすべての図形情報を抽出する。そして、抽出したすべての図形情報を配列した画面を、変更指示を送信してきた携帯電話機３に送信する（ステップＳ６３）。これにより、携帯電話機３に複数の図形情報が表示される。携帯電話機３のユーザが、表示された複数の図形情報うちから変更後の図形情報を指示すれば、変更後の図形情報が選択され、選択された図形情報がＭＦＰ１に送信される。
【００６２】
ステップＳ６４においては、選択された図形情報を受信するまで待機状態となり、選択された図形情報を受信したならば処理をステップＳ６５に進める。ステップＳ６５においては、変更前の図形情報を選択された図形情報に置き換え、処理選択画面記憶部１８５に記憶されている処理選択画面を更新する。そして、処理をステップＳ６６に進める。
【００６３】
ステップＳ６６においては、受信した変更指示が配置変更指示か否かを判断する。配置変更指示ならば処理をステップＳ６７に進め、配置変更指示でなければ処理を終了する。ＣＰＵ１１１は、置換元の図形情報を受信し（ステップＳ６７）、置換先の図形情報を受信し（ステップＳ６８）、置換元の図形情報と、置換先の図形情報とを置換し、処理選択画面記憶部１８５に記憶されている処理選択画面を更新する（ステップＳ６９）。
【００６４】
図１５は、ＭＦＰ１において変更処理が実行される場合に携帯電話機に表示される画面の一例を示す第１の図である。図１５（Ａ）は、図形情報変更指示を携帯電話機に入力する際に、携帯電話機３に表示される処理選択画面を示している。処理選択画面は、４つの選択ボタンと、４つの図形情報と、それらの上方に配置されたメッセージ領域とを含む。
メッセージ領域は、４つの図形情報でよいか否かを確認するメッセージと、ＹＥＳの文字が表示されたボタンと、ＮＯの文字が表示されたボタンを含む。ＮＯの文字が表示されたボタンが指示されると、図１５（Ｂ）に示す画面に切換わる。図１５（Ｂ）を参照して、図１５（Ａ）に示した処理選択画面の上側のメッセージ領域の表示のみが異なる。メッセージ領域は、「変更したいアイコンを選択し、実行を選択してください。」のメッセージと、実行の文字が表されたボタンと、キャンセルの文字が表されたボタンとを含む。ユーザが４つの図形情報のいずれか１つを選択して、実行の文字が表されたボタンを指示すれば、選択された図形情報と、図形変更指示とがＭＦＰ１に送信される。ＭＦＰ１からは複数の図形情報を含む画面が送信される。
【００６５】
図１５（Ｃ）は、ＭＦＰ１から送信される複数の図形情報を含む画面を示す。図１５（Ｃ）では、６つの図形情報と、その上方に配置されたメッセージ領域とを含む。メッセージ領域は、「下から所望のアイコンを選択し、実行を選択してください。」のメッセージと、実行の文字が表されたボタンと、キャンセルの文字があらわされたボタンとを含む。６つの図形情報のいずれか１つが選択され、実行の文字が表されたボタンが指示されると、選択された図形情報がＭＦＰ１に送信される。ＭＦＰ１からは、図１５（Ｂ）で示した画面で選択した図形情報を、図１５（Ｃ）に示した画面で選択した図形情報で置き換えた処理選択画面が送信される。図１５（Ｄ）は、ＭＦＰ１から送信される変更後の処理選択画面を示す。上側に配置されたメッセージ領域に、図形情報の変更を継続するかを問い合わせるメッセージが表示され、さらに図形情報を変更するか否かを指示することが可能である。
【００６６】
図１６は、ＭＦＰ１において変更処理が実行される場合に携帯電話機に表示される画面の一例を示す第２の図である。図１６（Ａ）は、配置変更指示を携帯電話機に入力する際に、携帯電話機３に表示される処理選択画面を示している。処理選択画面は、４つの選択ボタンと、４つの図形情報と、それらの上方に配置されたメッセージ領域とを含む。
メッセージ領域は、４つの図形情報の配置を変更するか否かを確認するメッセージと、ＹＥＳの文字が表示されたボタンと、ＮＯの文字が表示されたボタンとを含む。ＹＥＳの文字が表示されたボタンが指示されると、図１６（Ｂ）に示す画面に切換わる。図１６（Ｂ）を参照して、図１６（Ａ）に示した処理選択画面の上側のメッセージ領域の表示のみが異なる。メッセージ領域は、「移動したいアイコンを選択し、実行を選択してください」のメッセージと、実行の文字が表されたボタンと、キャンセルの文字が表されたボタンとを含む。ユーザが４つの図形情報のいずれか１つを選択して、実行の文字が表されたボタンを指示すれば、選択された図形情報と、配置変更指示とがＭＦＰ１に送信される。その後、図１６（Ｃ）に示す画面がＭＦＰ１から受信され、表示が切換わる。
【００６７】
図１６（Ｃ）を参照して、図１６（Ｂ）に示した処理選択画面の上側のメッセージ領域の表示のみが異なる。メッセージ領域は、「移動先を選択し、実行を選択してください」のメッセージと、実行の文字が表されたボタンと、キャンセルの文字が表されたボタンとを含む。ユーザが４つの図形情報のいずれか１つを選択して、実行の文字が表されたボタンを指示すれば、選択した図形情報と、配置変更指示とがＭＦＰ１に送信される。ＭＦＰ１では、先に指定された図形情報と後に指定された図形情報とを置換した処理選択画面を生成し、携帯電話機３に送信する。図１６（Ｄ）は、ＭＦＰ１から送信される変更後の処理選択画面を示す。図１６（Ａ）に示した画面と比較して、応用の文字が示された選択ボタンと、画像を拡大する処理を指示するための図形情報とが置換されている。
【００６８】
以上説明したように、第２の実施の形態におけるＭＦＰ１は、携帯電話機３ごとにカスタマイズした処理選択画面を記憶するので、携帯電話機３のユーザは、自らが使用し易いようにカスタマイズした処理選択画面を用いて、ＭＦＰ１を遠隔操作することができる。このため、ＭＦＰ１の遠隔操作を容易にすることができる。
【００６９】
＜第３の実施の形態＞
上述した第１および第２の実施の形態においては、ＭＦＰ１が図７〜９、１３および１４に示した処理を実行する例を示したが、ＬＡＮ２にＭＦＰ１，２を管理するプリントサーバを接続し、プリントサーバが図７〜９、１３および１４に示した処理を実行するようにしてもよい。この場合、携帯電話機３は、プリントサーバから処理選択画面およびパラメータ設定画面を受信することになるが、それらを受信する前に、プリントサーバがＭＦＰ１，１Ａのいずれかを選択するための装置選択画面を送信し、携帯電話機３は、プリントサーバから受信した装置選択画面を表示する。
【００７０】
装置選択画面は、ＭＦＰ１を指定するためのアイコン、およびＭＦＰ１Ａを指定するためのアイコンを含む。携帯電話機３のユーザが、装置選択画面に表示されたＭＦＰ１を指定するためのアイコンを指示すると、ＭＦＰ１を選択するための指示がプリントサーバに送信され、プリントサーバは、携帯電話機３からＭＦＰ１が選択されたことを示す指示を受信する。また、携帯電話機３のユーザが、装置選択画面に表示されたＭＦＰ２を指定するためのアイコンを指示すると、ＭＦＰ２を選択するための指示がプリントサーバに送信され、プリントサーバは、携帯電話機３からＭＦＰ２が選択されたことを示す指示を受信する。プリントサーバは、ＭＦＰ１，１Ａそれぞれが有する複数の処理に関する情報を記憶しており、ＭＦＰ１，１Ａのうちから選択された装置に対して、図７〜９、１３および１４に示した処理を実行して、処理とパラメータとを決定する。プリントサーバは、決定したパラメータで決定した処理を実行する指令を、ＭＦＰ１，１Ａのうち選択された装置に送信する。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】本発明の実施の形態の１つにおけるプリントシステムの全体概要を示す図である。
【図２】ＭＦＰのハード構成の一例を示すブロック図である。
【図３】ＰＣのディスプレイに表示される遠隔操作画面の一例を示す図である。
【図４】第１の実施の形態におけるＭＦＰのＣＰＵの機能の概要をＨＤＤで記憶する情報とともに示す機能ブロック図である。
【図５】関連付データのフォーマットの一例を示す第１の図である。
【図６】処理選択画面の一例を示す図である。
【図７】第１の実施の形態における遠隔操作処理の流れの一例を示すフローチャートである。
【図８】処理選択画面生成処理の流れの一例を示すフローチャートである。
【図９】図形情報取得処理の流れの一例を示すフローチャートである。
【図１０】第２の実施の形態におけるＭＦＰのＣＰＵの機能の概要をＨＤＤで記憶する情報とともに示す機能ブロック図である。
【図１１】関連付データのフォーマットの一例を示す第２の図である。
【図１２】処理選択画面データのフォーマットの一例を示す図である。
【図１３】第２の実施の形態における遠隔操作処理の流れの一例を示すフローチャートである。
【図１４】変更処理の流れの一例を示すフローチャートである。
【図１５】ＭＦＰ１において変更処理が実行される場合に携帯電話機に表示される画面の一例を示す第１の図である。
【図１６】ＭＦＰ１において変更処理が実行される場合に携帯電話機に表示される画面の一例を示す第２の図である。
【符号の説明】
【００７３】
１  ＭＦＰ、２  ＰＣ、３  携帯電話機、５  メーカサーバ、１０  ＬＡＮ、１１  無線局、１２  インターネット、１３  基地局、２１  ＡＤＦ、２２  画像読取部、２３  画像形成部、２３  ステップ、２４  給紙部、２７  ファクシミリ部、２８  通信制御部、１０１  情報処理部、１１１  ＣＰＵ、１１２  ＲＡＭ、１１３  ＨＤＤ、１１４  表示部、１１５  操作部、１１６  データ通信制御部、１１７  データ入出力部、１１９Ａ  ＵＳＢメモリ、１５１  図形情報取得部、１５３  機種情報受信部、１５５  処理選択画面生成部、１５７  処理選択画面送信部、１５９  処理選択画面抽出部、１６１  処理識別情報受信部、１６３  パラメータ設定画面送信部、１７１  パラメータ受信部、１７１  パラメータ受付部、１７３  処理実行制御部、１７５  変更受付部、１７７  変更部、１８１  関連付データ記憶部、１８１  関連付データ記憶部、１８３  パラメータ設定画面記憶部、１８５  処理選択画面記憶部。
【図１】
2007318519.tif 000003
【図２】
2007318519.tif 000004
【図３】
2007318519.tif 000005
【図４】
2007318519.tif 000006
【図５】
2007318519.tif 000007
【図６】
2007318519.tif 000008
【図７】
2007318519.tif 000009
【図８】
2007318519.tif 000010
【図９】
2007318519.tif 000011
【図１０】
2007318519.tif 000012
【図１１】
2007318519.tif 000013
【図１２】
2007318519.tif 000014
【図１３】
2007318519.tif 000015
【図１４】
2007318519.tif 000016
【図１５】
2007318519.tif 000017
【図１６】
2007318519.tif 000018